(57)【要約】【課題】軸部のぐらつきを防止できる支持脚を提供すること。【解決手段】支持脚１０は、床コンクリート躯体２の上に設けられて床面材３を支持する。この支持脚１０は、穴２１が上面に形成されてかつ弾性変形可能な台座２０と、穴２１に挿入されて略鉛直方向に延びてかつ外周面にねじ山３１が刻設された軸部３０と、軸部３０の穴２１から露出した部分に螺合された締付部材５０と、を備える。穴２１の上部には、内側に向かって延出した延出部２２が形成され、軸部３０の延出部２２よりも下方の部分には、外側に向かって拡がる鍔部３２が一体に形成され、締付部材５０が締め付けられることにより、締付部材５０と鍔部３２とで延出部２２を挟持する。【選択図】図１
2013217150.tif 000002
【特許請求の範囲】
【請求項１】
床躯体の上に設けられて床面材を支持する支持脚であって、
穴が上面に形成されてかつ弾性変形可能な台座と、
前記穴に挿入されて略鉛直方向に延びてかつ外周面にねじ山が刻設された軸部と、
前記軸部の前記穴から露出した部分に螺合された締付部材と、を備え、
当該穴の上部には、内側に向かって延出した延出部が形成され、
前記軸部の前記延出部よりも下方の部分には、外側に向かって拡がる鍔部が一体に形成され、
前記締付部材が締め付けられることにより、当該締付部材と前記鍔部とで前記延出部を挟持することを特徴とする支持脚。
【請求項２】
前記穴の深さは、前記締付部材と前記鍔部とで前記穴の上端縁を挟持することにより、前記鍔部の下面と前記穴の底面との間に隙間が形成されるように、設定されることを特徴とする請求項１に記載の支持脚。
【請求項３】
前記穴と前記軸部の下端側との間には、振動を減衰する減衰部材が介装されることを特徴とする請求項１または２に記載の支持脚。
【発明の詳細な説明】
【技術分野】
【０００１】
本発明は、支持脚に関する。詳しくは、乾式二重床に用いられて、床躯体の上に設けられて床面材を支持する支持脚に関する。
【背景技術】
【０００２】
従来より、建築設備や地下鉄などの振動が柱躯体や床躯体を伝わって、床面から固体音として放射される場合がある。そこで、この固体音を低減するため、例えば、乾式二重床が採用される。この乾式二重床は、床躯体の表面に格子状に配置された支持脚と、この支持脚に載せられた床面材と、で構成される。
【０００３】
ここで、支持脚は、床躯体上に設置されたゴム製台座と、このゴム製台座の上面に取り付けられて略鉛直方向に延びる軸部と、この軸部の上端側に取り付けられた支持部材と、を備える（特許文献１参照）。
防振ゴムの上面には、略鉛直方向に延びる非貫通孔が形成されている。
軸部には、側方に延びるフランジ部が螺合されており、この軸部の下端側が防振ゴムの非貫通孔に挿入されるとともに、フランジ部は座金を介してゴム製台座の上面に当接している。
【０００４】
この支持脚によれば、ゴム製台座が弾性変形して振動を吸収することで、床躯体を伝わる振動が固体音として床面材から放射されるのを防止できる。
【先行技術文献】
【特許文献】
【０００５】
【特許文献１】特許２５３９２４０号公報
【発明の概要】
【発明が解決しようとする課題】
【０００６】
しかしながら、軸部を非貫通孔に挿入することで、軸部をゴム製台座に取り付けるため、振動が加わることにより軸部がぐらつくおそれがあった。
【０００７】
本発明は、軸部のぐらつきを防止できる支持脚を提供することを目的とする。
【課題を解決するための手段】
【０００８】
（例えば、後述の）
請求項１に記載の支持脚（例えば、後述の支持脚１０、１０Ａ）は、床躯体（例えば、後述の床コンクリート躯体２）の上に設けられて床面材（例えば、後述の床面材３）を支持する支持脚であって、穴（例えば、後述の穴２１）が上面に形成されてかつ弾性変形可能な台座（例えば、後述の台座２０）と、前記穴に挿入されて略鉛直方向に延びてかつ外周面にねじ山（例えば、後述のねじ山３１）が刻設された軸部（例えば、後述の軸部３０）と、前記軸部の前記穴から露出した部分に螺合された締付部材（例えば、後述の締付部材５０）と、を備え、当該穴の上部には、内側に向かって延出した延出部（例えば、後述の延出部２２）が形成され、前記軸部の当該延出部よりも下方の部分には、外側に向かって拡がる鍔部（例えば、後述の鍔部３２）が一体に形成され、前記締付部材が締め付けられることにより、当該締付部材と前記鍔部とで前記延出部を挟持することを特徴とする。
【０００９】
請求項２に記載の支持脚は、前記穴の深さは、前記締付部材と前記鍔部とで前記延出部を挟持することにより、前記鍔部の下面と前記穴の底面との間に隙間が形成されるように、設定されることを特徴とする。
【００１０】
この発明によれば、締付部材を締め付けて、締付部材と鍔部とで延出部を挟持するとともに、鍔部の下面と穴の底面との間に隙間を設ける。
よって、締付部材を締め付けることにより軸部を台座に一体化できるので、振動により軸部がぐらつくのを防止できる。
また、延出部を介して軸部を台座に支持したので、軸部に作用する鉛直荷重が小さい場合、この荷重は、延出部を介して台座に支持される。よって、床躯体の振動は、台座の底面、延出部、軸部の順に伝わることになるので、この延出部で振動を大きく減衰できるから、固体音を低減できる。
一方、荷重が大きい場合には、軸部の荷重は、締付部材を介して台座の上面に均等に分散する。これにより、台座の上部が全体的に僅かに下がって、鍔部の下面が穴の底面に当接するので、この荷重は、穴の底面を介して台座に支持される。よって、台座を軟質なゴムで形成しても、床面材の上の歩行感を改善できる。
【００１１】
請求項３に記載の支持脚は、前記穴と前記軸部の下端側との間には、振動を減衰する減衰部材（例えば、後述の減衰部材２４）が介装されることを特徴とする。
【００１２】
この発明によれば、穴と軸部の下端側との間に減衰部材を介装したので、急激な衝撃や軸部の振動をさらに減衰できる。
【発明の効果】
【００１３】
本発明によれば、締付部材を締め付けて、締付部材と鍔部とで延出部を挟持するとともに、軸部および鍔部の下端面と穴の底面との間に隙間を設ける。よって、締付部材を締め付けることにより軸部を台座に一体化できるので、振動により軸部がぐらつくのを防止できる。また、延出部を介して軸部を台座に支持したので、軸部に作用する鉛直荷重が小さい場合、この荷重は、延出部を介して台座に支持される。よって、床躯体の振動は、台座の底面、延出部、軸部の順に伝わることになるので、この延出部で振動を大きく減衰できるから、固体音を低減できる。一方、荷重が大きい場合には、軸部の荷重は、締付部材を介して台座の上面に均等に分散する。これにより、台座の上部全体が僅かに下がって、軸部の下面が穴の底面に当接するので、この荷重は、穴の底面を介して台座に支持される。よって、台座を軟質なゴムで形成しても、床面材の上の歩行感を改善できる。
【図面の簡単な説明】
【００１４】
【図１】本発明の第１実施形態に係る支持脚が適用された乾式二重床構造を示す断面図である。
【図２】前記実施形態に係る支持脚に大きな荷重が作用した状態を示す断面図である。
【図３】前記実施形態に係る支持脚の軸部に作用する荷重に対する動ばね定数の測定結果である。
【図４】本発明の第２実施形態に係る支持脚が適用された乾式二重床構造を示す断面図である。
【発明を実施するための形態】
【００１５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る支持脚１０が適用された乾式二重床構造１を示す断面図である。
乾式二重床構造１は、床躯体としての床コンクリート躯体２の上面に格子状に配置された支持脚１０と、この支持脚１０に支持される床面材３と、で構成される。
支持脚１０は、穴２１が上面に形成された台座２０と、穴２１に挿入されて略鉛直方向に延びてかつ外周面にねじ山３１が刻設された軸部３０と、軸部３０に螺合されて床面材３を支持する支持部材４０と、軸部３０の穴２１から露出した部分に螺合された締付部材５０と、を備える。
【００１６】
台座２０は、弾性変形可能なゴムで形成されている。
締付部材５０は、軸部３０が挿通されるワッシャ５１と、このワッシャ５１の上側に位置し軸部３０に螺合するナット５２と、で構成される。このワッシャ５１は、台座２０の上面全体を覆うように配置されている。
【００１７】
穴２１の底面２１Ａは拡底されており、穴２１の上部には、内側に向かって延出した延出部２２が形成されている。
【００１８】
軸部３０の下端部つまり延出部２２よりも下方の部分には、外側に向かって拡がる鍔部３２が一体に形成されている。この鍔部３２は、穴２１の拡底した部分に位置している。
ナット５２を締め付けることにより、ワッシャ５１と鍔部３２とで延出部２２を挟持するとともに、軸部３０および鍔部３２の下面と穴２１の底面２１Ａとの間に所定幅Ｓの隙間が形成される。
つまり、この穴２１の深さは、ワッシャ５１を締め付けることにより、軸部３０および鍔部３２の下面と穴２１の底面２１Ａとの間に所定幅Ｓの隙間が形成されるように設定されている。
【００１９】
支持部材４０の上には、床面材３が載せられる。この支持部材４０を回転させて高さを適宜調整することにより、床面材３の床コンクリート躯体２からの高さを調整できるようになっている。
【００２０】
以上の支持脚１０では、延出部２２を介して軸部３０を台座２０に支持したので、軸部３０に作用する鉛直荷重が小さい場合、この荷重は、図１中矢印で示すように、延出部２２を介して台座２０に支持される。
一方、軸部３０に作用する荷重が大きい場合、図２に示すように、軸部３０の荷重は、ワッシャ５１により台座２０の上面全体に均等に分散する。これにより、台座２０の上部が全体的に僅かに下がって、鍔部３２の下面が穴２１の底面２１Ａに当接する。よって、この荷重は、図２中矢印で示すように、鍔部３２および穴２１の底面２１Ａを介して台座２０に支持される。
【００２１】
図３は、軸部３０に作用する荷重に対する動ばね定数の測定結果である。
ワッシャ５１により、軸部３０に作用する荷重が台座２０の上面に均等に分散される。よって、ワッシャ５１を設けた場合、軸部３０に作用する荷重が所定範囲（ここでは、５．５ｋｇから２４．６ｋｇまでの範囲）では、ワッシャを設けない場合に比べて、同じ荷重に対する動ばね定数が小さくなっている。
【００２２】
伝達される振動のピーク周波数に対して乾式二重床構造１の共振周波数が低いと、乾式二重床構造１が共振するのを防止できることが判っている。
共振周波数ｆ（Ｈｚ）は、動ばね定数ｋ（Ｎ／ｍ）、支持脚１０よりも上の部分の質量をｍ（ｋｇ）として、以下の式（１）で表される。
【００２３】
【数１】
2013217150.tif 000003
【００２４】
式（１）より、動ばね定数が小さくなるほど、共振周波数ｆは低くなることが判る。
よって、軸部３０に作用する荷重が上述の所定範囲では、ワッシャ５１を設けることにより、ワッシャを設けない場合に比べて、動ばね定数が小さくなるため、共振周波数が低くなる。その結果、乾式二重床構造１が共振するのを防止して、振動を大きく低減できることになる。
【００２５】
本実施形態によれば、以下のような効果がある。
（１）ナット５２を締め付けて、ワッシャ５１と鍔部３２とで延出部２２を挟持するとともに、軸部３０および鍔部３２の下面と穴２１の底面２１Ａとの間に隙間を設ける。
よって、ナット５２を締め付けることにより軸部３０を台座２０に一体化できるので、軸部３０のぐらつきを防止できる。
【００２６】
また、延出部２２を介して軸部３０を台座２０に支持したので、軸部３０に作用する鉛直荷重が小さい場合、この荷重は、延出部２２を介して台座に支持される。また、床コンクリート躯体２の振動は、台座２０の底面、延出部２２、軸部３０の順に伝わることになる。延出部２２は穴２１の上部で内側に向かって延出しているため、この延出部２２で振動を大きく減衰できるから、固体音を低減できる。
【００２７】
一方、荷重が大きい場合には、軸部３０の荷重は、ワッシャ５１を介して台座２０の上面に均等に分散する。これにより、台座２０の上部が全体的に僅かに下がって、鍔部３２の下面が穴２１の底面２１Ａに当接するので、この荷重は、穴２１の底面２１Ａを介して台座２０に支持される。よって、台座２０を軟質なゴムで形成しても、床面材３の上の歩行感を改善できる。
【００２８】
〔第２実施形態〕
図４は、本発明の第２実施形態に係る支持脚１０Ａが適用された乾式二重床構造１を示す断面図である。
本実施形態では、穴２１の底面２１Ａには、台座２０の底面まで到達する貫通孔２３が形成されている。
【００２９】
また、軸部３０は、鍔部３２からさらに下方に延長されて、この延長された部分は、延長部３３となっている。この延長部３３は、貫通孔２３に挿通されている。
延長部３３の下端面と床コンクリート躯体２の上面との間には、所定幅Ｓ´の隙間が形成される。このＳ´は、Ｓよりも大きくなっている。
【００３０】
軸部３０の延長部３３と貫通孔２３との間には、振動を減衰するゴム製の減衰部材２４が介装されている。
【００３１】
本実施形態によれば、上述の（１）の効果に加えて、以下のような効果がある。
（２）穴２１と軸部３０の下端側である延長部３３との間に減衰部材２４を介装したので、急激な衝撃や軸部３０の振動をさらに減衰できる。
【００３２】
なお、本発明は前記実施形態に限定されるものではなく、本発明の目的を達成できる範囲での変形、改良等は本発明に含まれるものである。
【符号の説明】
【００３３】
１…乾式二重床構造
２…床コンクリート躯体（床躯体）
３…床面材
１０、１０Ａ…支持脚
２０…台座
２１…穴
２１Ａ…底面
２２…延出部
２３…貫通孔
２４…減衰部材
３０…軸部
３１…ねじ山
３２…鍔部
３３…延長部
４０…支持部材
５０…締付部材
５１…ワッシャ
５２…ナット
【図１】
2013217150.tif 000004
【図２】
2013217150.tif 000005
【図３】
2013217150.tif 000006
【図４】
2013217150.tif 000007